(57)【要約】【課題】吸収性コアを臀部の形状に合わせて変形させることができ、着用時の吸収性コアのヨレを防止し得る吸収性物品を提供すること。【解決手段】吸収性コア２４は、縦方向における吸収性物品の中央位置より後方に位置する部分であるコア後部２４Ｂに、縦方向Ｘ及び横方向Ｙに分散した状態に複数の凹部４が形成されており、コア後部２４Ｂの横方向Ｙの中央部に、凹部を複数有し凹部の面積率が高い中央高密度領域５５が形成され、中央高密度領域５５を挟む両側それぞれに、凹部を複数有し中央高密度領域５５よりも凹部の面積率が低い側方低密度領域５６が形成されている。【選択図】図５
2018102715.tif 000002
【特許請求の範囲】
【請求項１】
表面シート、裏面シート及びこれらの間に配された吸収性コアを有し、着用者の前後方向に相当する縦方向及び該縦方向に直交する横方向を有する吸収性物品であって、
前記吸収性コアは、前記縦方向における前記吸収性物品の中央位置より後方に位置する部分であるコア後部に、前記縦方向及び前記横方向に分散した状態に複数の凹部が形成されており、
前記コア後部の前記横方向の中央部に、前記凹部を複数有し該凹部の面積率が高い中央高密度領域が形成され、前記中央高密度領域を挟む両側それぞれに、前記凹部を複数有し前記中央高密度領域よりも前記凹部の面積率が低い側方低密度領域が形成されている、吸収性物品。
【請求項２】
前記吸収性コアは、中央幅狭部、並びに該中央幅狭部の前後に位置し前記横方向の長さが該中央幅狭部より長いコア前方部及びコア後方部を有しており、前記中央高密度領域及び前記側方低密度領域が、該コア後方部に形成されている、請求項１に記載の吸収性物品。
【請求項３】
前記吸収性コアは、前記中央高密度領域より後方に、複数の凹部を有し該中央高密度領域よりも前記凹部の面積率が低い後方低密度領域を有している、請求項１又は２に記載の吸収性物品。
【請求項４】
前記中央高密度領域は、前記縦方向の長さが前記横方向の長さより長い、請求項１〜３の何れか１項に記載の吸収性物品。
【請求項５】
前記凹部が、前記吸収性コアを貫通する貫通部であるか、又は他の部分に比して低坪量に形成されている、請求項１〜４の何れか１項に記載の吸収性物品。
【請求項６】
成人用のパンツ型着用物品である、請求項１〜５の何れか１項に記載の吸収性物品。
【発明の詳細な説明】
【技術分野】
【０００１】
本発明は吸収性物品に関する。
【背景技術】
【０００２】
使い捨ておむつや生理用品に用いられる吸収体として、該吸収体の肌対向面にエンボス加工が施されたものや溝を有するものが知られている。
例えば特許文献１は、透液性表面シートと、裏面シートとの間に吸収体が介在された吸収性物品において、透液性表面シートの表面側から付与した表面エンボスとは別に、この表面エンボスの直下又はその近傍に、透液性表面シートを積層する前に吸収体に上面側から付与した吸収体エンボスを有し、表面エンボス及び吸収体エンボスは吸収性物品の前部側及び／又は後部側に存在している吸収性物品が記載されている。
【０００３】
また特許文献２には、縦方向中心線から左右両側に離れた位置に、表面シートから液吸収層にかけて形成された一対の圧縮溝が縦方向に延びて形成されて、前記圧縮溝に挟まれた縦長の中央領域が形成され、前記中央領域に不織布で形成された表面シートが位置し、前記中央領域に、少なくとも前記表面シートを貫通する多数の液透過孔と、少なくとも前記表面シートが加圧されたドット状のエンボス部が多数形成されており、（前方部分の液透過孔の占める面積の総和）／（前方部分の面積）で現される開孔密度が、（後方部分の液透過孔の占める面積の総和）／（後方部分の面積）の開孔密度よりも高く、（後方部分のエンボス部の占める面積の総和）／（後方部分の面積）で現されるエンボス密度が、（前方部分のエンボス部の占める面積の総和）／（前方部分の面積）のエンボス密度よりも高いことを特徴とする吸収性物品が記載されている。
【０００４】
また特許文献３には、吸収体の後部側に前部側に向かう円弧状のエンボス溝を形成した体液吸収性物品が記載されている。特許文献３によれば、吸収体の後部が捩れるのを防止出来る。
【先行技術文献】
【特許文献】
【０００５】
【特許文献１】特開２００８−３０７４０８号公報
【特許文献２】特開２００４−１８１０８６号公報
【特許文献３】特開平１１−１１３９５５号公報
【発明の概要】
【発明が解決しようとする課題】
【０００６】
特許文献１〜３に記載のように、吸収性物品の吸収体や表面シート及び吸収体に圧縮溝を形成することは従来行われている。
しかしながら、特許文献１〜３に記載の防漏溝の配置では、防漏溝による剛性の制御が十分であるとは言えず、本発明者らは、例えば、成人用のパンツ型着用物品の吸収体に適用した場合に、高い変形性が要求される臀部の割れ目（臀裂）に配される部分の変形性が十分ではなく、着用者の肌と吸収性物品との間に隙間が生じて防漏性が低下したり、吸収体が折れて着用者に違和感を与えたりする不都合が生じたり、逆に、割れ目（臀裂）の両側に位置する臀部の凸曲面状の盛り上がり部分（主に大殿筋が存在する部分）に対応する部分が変形しすぎてヨレやめくれ等の不都合が生じやすいことを知見した。
【０００７】
本発明の課題は、上述した従来技術が有する解決課題を解決し得る吸収性物品を提供することに関する。
【課題を解決するための手段】
【０００８】
本発明は、表面シート、裏面シート及びこれらの間に配された吸収性コアを有し、着用者の前後方向に相当する縦方向及び該縦方向に直交する横方向を有する吸収性物品であって、前記吸収性コアは、前記縦方向における前記吸収性物品の中央位置より後方に位置する部分であるコア後部に、前記縦方向及び前記横方向に分散した状態に複数の凹部が形成されており、前記コア後部の前記横方向の中央部に、前記凹部を複数有し該凹部の面積率が高い中央高密度領域が形成され、該中央高密度領域を挟む両側それぞれに、前記凹部を複数有し前記中央高密度領域よりも前記凹部の面積率が低い側方低密度領域が形成されている、吸収性物品を提供するものである。
【発明の効果】
【０００９】
本発明の吸収性物品は、着用者の臀部に対するフィット性に優れ、防漏性や着用感に優れている。
【図面の簡単な説明】
【００１０】
【図１】図１は、本発明の吸収性物品の一実施形態であるパンツ型使い捨ておむつの基本構成を示す斜視図である。
【図２】図２は、図１に示すパンツ型使い捨ておむつの、展開且つ伸長状態における肌対向面側を模式的に示す展開平面図である。
【図３】図３は、図２のＩ−Ｉ線断面を模式的に示す横断面図である。
【図４】図４は、図１に示すパンツ型使い捨ておむつを模式的に示す分解斜視図である。
【図５】図５は、図１に示すパンツ型使い捨ておむつが具備する好ましい吸収性コアの一例を示す模式平面図である。
【図６】図６（ａ）〜（ｃ）は、中央高密度領域及び側方低密度領域における凹部の配置パターンの例を示す拡大平面図である。図６（ｄ）は、中央高密度領域、側方低密度領域及び後方低密度領域における凹部の配置パターンの例を示す模式図である。図６（ｅ）は、図６（ｂ）に示す中央高密度領域の拡大図である。
【図７】図７（ａ）は、コア後方部における中央高密度領域、側方低密度領域及び後方低密度領域の位置及び寸法の説明図であり、図７（ｂ）は、中央高密度領域、側方低密度領域及び後方低密度領域に位置する各凹部の寸法の説明図である。
【図８】図８（ａ）〜（ｃ）は、本発明における凹部の吸収性物品縦方向に沿う断面図である。
【図９】図９は、図１に示すパンツ型使い捨ておむつの着用中における、吸収性コアの変形状態を模式的に示す斜視図である。
【発明を実施するための形態】
【００１１】
以下本発明を、その好ましい実施形態に基づき図面を参照しながら説明する。図１〜図４には、本発明の吸収性物品の一実施形態であるパンツ型使い捨ておむつの一例であるおむつ１の基本構成が示されている。おむつ１は、着用者の前後方向に相当する縦方向Ｘ及び該縦方向Ｘに直交する横方向Ｙを有する。また、股下部Ｂ並びに該股下部Ｂの前後から縦方向Ｘに延出する腹側部Ａ及び背側部Ｃを有し、液保持性を有する吸収体２３を股下部Ｂに具備する。股下部Ｂは、おむつ１の着用状態において着用者の股間部に配される部位であり、腹側部Ａは、おむつ１の着用状態において股下部Ｂよりも着用者の腹側、即ち縦方向Ｘの前側に配される部位であり、背側部Ｃは、おむつ１の着用状態において股下部Ｂよりも着用者の背側、即ち縦方向Ｘの後側に配される部位である。
【００１２】
おむつ１は、吸収体２３を具備する吸収性本体２と、該吸収性本体２よりも着用者の身体から遠い側(非肌対向面側)に配された外装体３とを備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１３】
おむつ１は、図２に示すように、おむつ１を縦方向Ｘに二等分して横方向Ｙに延びる縦中心線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、何れも縦方向Ｘにおいてサイドシール部Ｓと同位置にある部分であり、おむつ１の着用状態において着用者のウエスト部を含む胴周りに配される。股下部Ｂは、外装体３の縦方向Ｘに沿う両側縁部にレッグ開口部ＬＨ，ＬＨ形成用の凹欠部が形成されている領域である。
【００１４】
吸収性本体２は、図２に示す如きおむつ１の展開且つ伸長状態において、平面視長方形形状をなし、腹側部Ａから背側部Ｃにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１５】
おむつ１は、表面シート２１、裏面シート２２及びこれらの間に配された吸収体２３を有している。より具体的には、吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。
吸収体２３は、液保持性の吸収性コア２４と、該吸収性コア２４の外面(肌対向面及び非肌対向面の両面)を被覆するコアラップシート２５とを含んで構成されており、吸収性コア２４は、コアラップシート２５に被覆された状態で、表面シート２１と裏面シート２２との間に配されている。吸収性コア２４は、肌対向面側の表面及び非肌対向面の表面の全域がコアラップシート２５に被覆されており、より詳細には、縦方向に沿う両側面を含めた吸収性コアの横断面の全周囲がコアラップシート２５に被覆されている。吸収性コア２４とコアラップシート２５との間は、ホットメルト型接着剤等の公知の接合手段により接合されている。
【００１６】
本明細書において、「肌対向面」は、吸収性物品又はその構成部材（例えば吸収性コア）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１７】
吸収性コア２４は、扁平な単層構造を有するもので、中央幅狭部２４０、並びに中央幅狭部２４０の前後に位置し横方向Ｙの長さが該中央幅狭部２４０より長いコア前方部２４１及びコア後方部２４２を有している。具体的には、おむつ１における吸収性コア２４は、図２及び図５に示す如き平面視において砂時計状、即ち、横方向Ｙの長さが短い中央幅狭部２４０の縦方向Ｘの前端に中央幅狭部２４０よりも横方向Ｙの長さが長いコア前方部２４１が連接されていると共に、中央幅狭部２４０の縦方向Ｘの後端に中央幅狭部２４０よりも横方向Ｙの長さが長いコア後方部２４２が連接されている形状をなしている。図２に示すように、吸収性コア２４の中央幅狭部２４０は股下部Ｂに位置している。コア前方部２４１とコア後方部２４２とは、縦方向Ｘの長さが同じではなく、コア後方部２４２の方が長い。
おむつ１における吸収性コア２４は、図２に示す如きおむつ１の展開且つ伸長状態の平面視において、外装体３における腹側部Ａの側縁部ＡＳと背側部Ｃの側縁部ＣＳとに挟まれた領域である股下部Ｂに配されている。より具体的には、吸収性コア２４の縦方向Ｘの前端２４ａ及び後端２４ｂそれぞれが、股下部Ｂに位置している。なお、本実施形態における吸収性コア２４は、その全体が股下部Ｂ内に収まっているが、本発明の吸収性物品における吸収性コア２４は、股下部Ｂから、腹側部Ａ及び背側部Ｃの何れか一方又は双方に亘って配されていてもよい。
【００１８】
吸収性コア２４の外面を被覆するコアラップシート２５は、図２に示すように、吸収性コア２４よりも縦方向Ｘの長さが長く、吸収性コア２４の縦方向Ｘの前端２４ａ及び後端２４ｂそれぞれから縦方向Ｘの外方に延出し、股下部Ｂのみならず、腹側部Ａ及び背側部Ｃにも配されている。コアラップシート２５は、吸収性コア２４の外面全体を被覆し得る大きさを有する１枚の連続したシートであっても良く、あるいは、吸収性コア２４の肌対向面を被覆する１枚の肌側コアラップシートと、非肌対向面を被覆する１枚の非肌側コアラップシートとから構成されていても良い。
【００１９】
表面シート２１、裏面シート２２並びに吸収体２３を構成する吸収性コア２４及びコアラップシート２５としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収性コア２４は、吸収性材料を含むコア形成材料の堆積物である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２４は、親水性繊維の積繊体、あるいは該積繊体に吸水性ポリマー粒子を担持させたものであり得る。コアラップシート２５としては、紙、不織布等の液透過性シートを用いることができる。
【００２０】
図２及び図３に示すように、吸収性本体２の肌対向面における縦方向Ｘに沿う左右両側部には、液抵抗性又は撥水性で且つ通気性のシート材から構成された一対の防漏カフ２６，２６が設けられている。各防漏カフ２６の自由端部の近傍には糸状の防漏カフ形成用弾性部材２７が１本以上伸長状態で配されている。防漏カフ２６は、伸長状態で配された弾性部材２７がおむつ１の着用時に収縮することによって少なくとも股下部Ｂで起立し、それによって尿等の排泄液の横方向Ｙの外方への流出を阻止する。
【００２１】
外装体３は、図２に示す如き展開且つ伸長状態のおむつ１の外形を形作っており、外装体３の周縁は、その状態のおむつ１の輪郭線、即ち腹側部Ａ、股下部Ｂ及び背側部Ｃそれぞれの輪郭線を形成している。外装体３は、図２に示すように、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた砂時計状をなしている。
【００２２】
外装体３は、図３に示すように、着用状態においておむつ１の外面即ち非肌対向面を形成する外層シート３１と、外層シート３１の肌対向面に対向配置された内層シート３２との積層体を含んで構成されている。おむつ１の着用状態において、外層シート３１は着用者の身体から遠い側に位置して、おむつ１の非肌対向面（外面）を形成し、内層シート３２は着用者の身体に近い側に位置して、おむつ１の肌対向面（内面）を形成する。外層シート３１と内層シート３２とは、所定の部位において接着剤等の接合手段を介して互いに接合されている。外層シート３１は、図４に示すように腹側部Ａ及び背側部Ｃに、内層シート３２の縦方向Ｘの端縁から延出する部分３１Ｅを有し、その延出部３１Ｅは、図２に示すように、内層シート３２の肌対向面側に折り返され、吸収性本体２の縦方向Ｘの端部を被覆している。
【００２３】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部及びその近傍には、１本又は複数本（本実施形態では複数本）のウエストギャザー形成用のウエスト弾性部材３３が横方向Ｙの全長にわたって伸長状態で配されており、これによってウエスト開口部ＷＨには、その全周にわたって実質的に連続した環状のウエストギャザーが形成されている。
さらに外装体３は、一対のレッグ開口部ＬＨ，ＬＨそれぞれの開口縁部にレッグギャザーを形成するレッグ弾性部材として、後身頃Ｒに伸長状態で配された１本又は複数本（本実施形態では複数本）の後側レッグ弾性部材３４を備えている。尚、おむつ１においては、前身頃Ｆにはレッグ弾性部材は配されていないが、前身頃Ｆに前側レッグ弾性部材が配されていても良く、その前側レッグ弾性部材は、後側レッグ弾性部材３４と同様の配置形態とすることができる。
ウエスト弾性部材３３及び後側レッグ弾性部材３４は、それぞれ糸状又は帯状であり、外装体３を構成する外層シート３１と内層シート３２との間に接着剤により挟持固定されている。
【００２４】
本実施形態においては、図４に示すように、内層シート３２は１枚の連続したシートから構成されているのに対し、外層シート３１は複数枚のシートが組み合わされて構成されており、腹側部Ａを構成する腹側外層シート３１Ａと、背側部Ｃを構成する背側外層シート３１Ｃと、両シート３１Ａ，３１Ｃ間に位置して股下部Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２５】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮性シートを用い、外層シート３１の残りの部分即ち股下外層シート３１Ｂ及び内層シート３２は、伸縮性を有していない非伸縮性シートを用いることができる。外装体３として使用可能な伸縮性シートとしては、例えば、弾性繊維層の両面又は片面に伸長可能な繊維層が一体化されている伸縮性シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮性シートとしては、例えば、各種製法による不織布が挙げられ、具体的にはスパンボンド不織布、エアスルー不織布、ニードルパンチ不織布を例示できる。
【００２６】
吸収性コア２４は、縦方向Ｘにおける吸収性物品（おむつ１）の中央位置より後方に位置するコア後部２４Ｂを有している。より具体的には、吸収性物品は縦方向Ｘに２等分し横方向Ｙに延びる縦中心線ＣＬｘよりも前方に位置するコア前部２４Ａと、後方に位置するコア後部２４Ｂとを有している。前述のとおり、吸収性コア２４は縦方向Ｘの前側から順に、コア前方部２４１、中央幅狭部２４０、コア後方部２４２を有しているところ、コア前部２４Ａはコア前方部２４１及び中央幅狭部２４０の縦方向Ｘにおける前端から縦中心線ＣＬｘまでの部分を含み、コア後部２４Ｂは中央幅狭部２４０の縦方向Ｘにおける縦中心線ＣＬｘから後端までの部分及びコア後方部２４２を含む（図５参照）。吸収性コア２４は、吸収性コア２４の外形形状（輪郭線）は、吸収性コア２４を横方向Ｙに２等分して縦方向Ｘに延びる横中心線ＣＬｙを基準として、一方側と他方側とで対称に形成されている。
【００２７】
本実施形態のおむつ１におけるコア後部２４Ｂは、前側から順に後方第１領域２４３及び後方第２領域２４４を含んで構成されている。より具体的には、コア後方部２４２が、後方第１領域２４３及び後方第２領域２４４を含んでいる。また後方第２領域２４４は、後方第１領域２４３の縦方向Ｘの後端に連接されている。後方第１領域２４３は、横方向Ｙの長さが、縦方向Ｘの前側から後側に向かって急激に増加しているのに対して、後方第２領域２４４は、横方向Ｙの長さが、縦方向Ｘの前側から後側に向かって略一定であるか、縦方向Ｘの単位長さ当たりの横方向Ｙの長さの増加量が、後方第１領域２４３に比して顕著に小さい。
【００２８】
コア後部２４Ｂ及びコア後方部２４２は、横方向Ｙの中央部が、着用者の臀部の割れ目（臀裂）に位置するように形成されている。より具体的には、コア後方部２４２の後方第１領域２４３、特に後方第１領域２４３の後端側の部分は、着用者の臀部の割れ目の前端寄りの部分にあり、後方第２領域２４４は、臀部の割れ目の前端寄りの部分から所定距離離間した後方の位置にある。後方第１領域２４３の縦方向Ｘに沿う両側縁は、それぞれ図５に示す如き平面視において、中央幅狭部２４０と後方第１領域２４３（コア後方部２４２）との境界から、横方向Ｙの外方且つ縦方向Ｘの後方に向かって斜めに延びている。一方、後方第２領域２４４は、図５に示すように、その縦方向Ｘに沿う両側縁は、縦方向Ｘに平行である。
【００２９】
図５に示すように、吸収性コア２４のコア後部２４Ｂ、より具体的にはコア後方部２４２には、縦方向Ｘ及び横方向Ｙに分散した状態に複数の凹部４が形成されている。
そして、コア後部２４Ｂの横方向Ｙの中央部５０に、凹部４を複数有し該凹部４の面積率が高い中央高密度領域５５が形成され、中央部５０を挟む両側それぞれに、凹部４を複数有し中央高密度領域５５よりも凹部４の面積率が低い側方低密度領域５６が形成されている。尚、コア後部２４Ｂの横方向Ｙの中央部５０は、コア後部２４Ｂの横方向Ｙにおける最大幅を３等分して、３つの領域に区分した際の真ん中の領域である。
【００３０】
図５及び図６（ａ）〜（ｅ）に示すように、中央高密度領域５５は、領域の面積に対して、該領域内に含まれる凹部の総面積の割合が高い領域であり、側方低密度領域５６は、領域の面積に対して、該領域内に含まれる凹部の総面積の割合が、中央高密度領域５５に比して低い領域である。ここでいう、凹部の総面積の割合の高低は、中央高密度領域５５と側方低密度領域５６とを対比しての相対的なものである。後述する後方低密度領域５７と、中央高密度領域５５又は側方低密度領域５６との凹部の面積率についても同様であり、後方低密度領域５７と、中央高密度領域５５又は側方低密度領域５６との凹部の総面積の割合の高低は、後方低密度領域５７と、中央高密度領域５５又は側方低密度領域５６とを対比しての相対的なものである。
中央高密度領域５５、側方低密度領域５６及び後方低密度領域５７のそれぞれの用語に含まれる「高密度」又は「低密度」は、領域の面積に対して該領域内に含まれる凹部の総面積の割合が高い場合を高密度、領域の面積に対して該領域内に含まれる凹部の総面積の割合が低い場合を低密度と表現したものである。
【００３１】
中央高密度領域５５及び側方低密度領域５６についての凹部の面積率を算出するには、縦方向Ｘの位置が異なる複数の凹部が、それぞれの領域中に含まれるように各領域を設定し、好ましくは、それぞれの領域中に、縦方向Ｘの位置が異なる複数の凹部が含まれ且つ横方向Ｙの位置が異なる複数の凹部が含まれるように各領域を設定して、それぞれの面積及びそれぞれの面積中に含まれる凹部の面積を求める。
また、中央高密度領域５５及び側方低密度領域５６の各領域は、それぞれの面積が、３５０ｍｍ２以上となるように設定し、より好ましくは４００ｍｍ２以上となるように設定する。
【００３２】
中央高密度領域５５及び側方低密度領域５６の各領域の面積は、以下のようにして測定される。
コア後部の横方向Ｙの中央部に、一定の纏まりをもって配された一群の凹部のうちの最も外方に位置する凹部４Ａの外縁を結んだ線で囲まれる領域を中央高密度領域５５として、その領域の面積を求める。また、コア後部の横方向Ｙにおける中央高密度領域５５の両側それぞれに位置する各群の凹部のうちの最も外方に位置する凹部４Ｂの外縁を結んだ線で囲まれる領域を、側方低密度領域５６としてその領域の面積を求める。以下において、中央高密度領域５５に位置する凹部を凹部４Ａ、側方低密度領域５６に位置する凹部を凹部４Ｂともいう。また、後述する後方低密度領域５７における凹部を凹部４Ｃともいう。
【００３３】
厚みがあり硬くて折り曲げにくい吸収性コアは、臀部の割れ目（臀裂）の形状や肌の動きに合わせて柔軟に変形させることが困難であり変形性が不十分であり、着用者の肌と吸収性物品との間に隙間が生じて防漏性が低下したり、吸収体が折れて着用者に違和感を与えたりする不都合が生じやすい。また、臀部の割れ目（臀裂）に合わせて変形させたとしても、その変形部分に歪みが生じ、臀部へのフィット性が低下することがある。
これに対して、本発明の吸収性物品は、コア後部２４Ｂの横方向Ｙにおける中央部５０に凹部４の面積率が高い中央高密度領域５５が形成されていることにより、コア後部２４Ｂにおける臀部の割れ目に配される部分を大きく変形させると共に該部分において発生し得る歪を吸収し得る。
【００３４】
また、コア後部２４Ｂにおける臀部の割れ目に当接する部分が大きく変形すると、その変形に追従して臀部の盛り上がり部分（主に大殿筋を有する部分）に当接する部分が変形し過ぎて、ヨレやめくれ等の不都合が発生し、臀部へのフィット性が低下することがある。
これに対して、本発明の吸収性物品は、コア後部２４Ｂの中央部５０を挟む両側それぞれに、中央高密度領域５５よりも凹部の面積率が低い側方低密度領域５６を配置することにより、臀部の盛り上がり部分（主に大殿筋）に当接する部分が変形し過ぎることを抑制すると共に、着用時のコア後部２４Ｂのヨレを防止することができる。側方低密度領域５６は、中央部５０即ち中央高密度領域５５の横方向Ｙの両側それぞれに、中央高密度領域５５を挟む形で形成されている。
本発明の吸収性物品によれば、このような作用により、着用者の臀部に対するフィット性に優れ、防漏性や着用感に優れている。
【００３５】
本発明の吸収性物品における吸収性コア２４は、コア後部２４Ｂを、吸収性物品の縦方向Ｘに延びる互いに平行な２直線であって且つコア後部２４Ｂの横方向Ｙの最大長さ（最大幅ともいう）を３等分する２直線で、中央部５０とその両側に位置する側部５１，５１とに区分したときの、該中央部５０に、中央高密度領域５５の一部又は全体が含まれるとともに、該各側部５１に、側方低密度領域５６の一部又は全体が含まれることが好ましく、該中央部５０に、中央高密度領域５５の面積の半分以上が含まれるとともに、該各側部５１に、各側方低密度領域５６の面積の半分以上が含まれることが更に好ましく、該中央部５０に、中央高密度領域５５の全体が含まれるとともに、各側部５１，５１に、各側方低密度領域５６の全体が含まれることが更に好ましい。中央高密度領域５５は、このように３分割した中央部５０内に収まっていることが好ましいが、その一部がコア後部２４Ｂの中央部５０からはみ出して、側部５１，５１に存在していてもよい。
側方低密度領域５６は、少なくともその一部がコア後部２４Ｂの横方向Ｙの中央部５０を挟む両側、即ち各側部５１，５１それぞれに位置していることが好ましく、より好ましくは側方低密度領域５６の面積の半分以上、より好ましくは８０％以上が、側部５１，５１に位置している。
【００３６】
また、上記の効果をより確実に奏させるため、着用時に中央高密度領域５５を臀部の割れ目に配することが好ましい。より具体的には、図７（ａ）に示す中央高密度領域５５のコア後部２４Ｂにおける位置が以下の範囲であることが好ましい。
中央高密度領域５５の前端Ｆ１と、縦中心線ＣＬｘとの縦方向Ｘにおける距離Ｐ１が、好ましくは４０ｍｍ以上、より好ましくは５０ｍｍ以上であり、また好ましくは１１０ｍｍ以下、より好ましくは１００ｍｍ以下であり、また好ましくは４０ｍｍ以上１１０ｍｍ以下、より好ましくは５０ｍｍ以上１００ｍｍ以下である。
中央高密度領域５５の後端Ｂ１と、コア後部２４Ｂの後端２４ｂとの縦方向Ｘにおける距離Ｐ２は、好ましくは４０ｍｍ以上、より好ましくは５０ｍｍ以上であり、また好ましくは１００ｍｍ以下、より好ましくは９０ｍｍ以下であり、また好ましくは４０ｍｍ以上１００ｍｍ以下、より好ましくは５０ｍｍ以上９０ｍｍ以下である。
【００３７】
中央高密度領域５５は、図７（ａ）に示すように、コア後部２４Ｂの縦方向に沿う側端Ｔと、該側端Ｔに近い側の中央高密度領域５５の側端Ｔ１との間の横方向Ｙの最短距離Ｐ３が、好ましくは４０ｍｍ以上、より好ましくは５０ｍｍ以上であり、また好ましくは６５ｍｍ以下、より好ましくは６０ｍｍ以下であり、また好ましくは４０ｍｍ以上６５ｍｍ以下、より好ましくは５０ｍｍ以上６０ｍｍ以下である。なお、中央高密度領域５５は、横方向Ｙの両側のそれぞれの距離Ｐ３が、上記の範囲となるようコア後部２４Ｂに位置していることが好ましい。
【００３８】
上記の効果をより確実に奏させるため、着用時に各側方低密度領域５６を臀部の盛り上がり部分に対向配置させることが好ましい。より具体的には、図７（ａ）に示す各側方低密度領域５６のコア後部２４Ｂにおける位置及が以下の範囲であることが好ましい。
側方低密度領域５６の前端Ｆ２と、縦中心線ＣＬｘとの縦方向Ｘにおける距離Ｐ４が、好ましくは５０ｍｍ以上、より好ましくは６０ｍｍ以上であり、また好ましくは１２０ｍｍ以下、より好ましくは１００ｍｍ以下であり、また好ましくは５０ｍｍ以上１２０ｍｍ以下、より好ましくは６０ｍｍ以上１００ｍｍ以下である。
側方低密度領域５６の後端Ｂ２と、コア後部２４Ｂの後端２４ｂとの縦方向Ｘにおける距離Ｐ５は、好ましくは４０ｍｍ以上、より好ましくは５０ｍｍ以上であり、また好ましくは１００ｍｍ以下、より好ましくは９０ｍｍ以下であり、また好ましくは４０ｍｍ以上１００ｍｍ以下、より好ましくは５０ｍｍ以上９０ｍｍ以下である。
【００３９】
側方低密度領域５６は、図７（ａ）に示すように、コア後部２４Ｂの縦方向に沿う側端Ｔと、該側端Ｔに近い方の側方低密度領域５６の側端Ｔ２との横方向Ｙにおける最短距離Ｐ６が、好ましくは１０ｍｍ以上、より好ましくは１５ｍｍ以上であり、また好ましくは３０ｍｍ以下、より好ましくは２０ｍｍ以下であり、また好ましくは１０ｍｍ以上３０ｍｍ以下、より好ましくは１５ｍｍ以上２０ｍｍ以下である。側方低密度領域５６は、横方向Ｙの両側のそれぞれ距離Ｐ６が、上記の範囲となるようコア後部２４Ｂに位置していることが好ましい。
【００４０】
また、上述した通り、本発明の吸収性物品において、中央高密度領域５５よりも、側方低密度領域５６の凹部の面積率は低い。斯かる構成により、着用時にコア後部２４Ｂの中央部５０において歪の発生を抑制し、コア後部２４Ｂの側部においてヨレの発生を抑制することができる。この効果をより確実に奏させるため、側方低密度領域５６の凹部の面積率は、中央高密度領域５５の凹部の面積率に対して、好ましくは５％以上、より好ましくは２０％以上であり、また好ましくは８０％以下、より好ましくは４５％以下であり、また好ましくは５％以上８０％以下、より好ましくは２０％以上４５％以下である。中央高密度領域５５及び側方低密度領域５６の各寸法及び面積、並びに中央高密度領域５５及び側方低密度領域５６にそれぞれ位置する各凹部の寸法及び面積は後述する。
【００４１】
中央高密度領域５５は、縦方向Ｘの幅Ｌ１が横方向Ｙの長さ即ち幅Ｗ１より長いことが好ましい。斯かる構成により、着用時、臀部の割れ目は縦方向Ｘに延びているため、臀部の割れ目に合わせて、コア後部２４Ｂをより容易に変形させることができる。この効果をより確実に奏させるため、中央高密度領域５５の縦方向Ｘにおける幅Ｌ１は、中央高密度領域５５の横方向Ｙにおける幅Ｗ１に対し、好ましくは１２０％以上、より好ましくは１４０％以上であり、また好ましくは２４０％以下、より好ましくは２００％以下であり、また好ましくは１２０％以上２４０％以下、より好ましくは１４０％以上２００％以下である。
【００４２】
コア後部２４Ｂの中央部５０における、臀部の割れ目へのフィット性をより向上させる観点から、図７（ａ）に示す中央高密度領域５５の寸法等は以下の範囲であることが好ましい。
中央高密度領域５５の横方向Ｙにおける幅Ｗ１は好ましくは１０ｍｍ以上、より好ましくは１５ｍｍ以上であり、また好ましくは３０ｍｍ以下、より好ましくは２５ｍｍ以下であり、また好ましくは１０ｍｍ以上３０ｍｍ以下、より好ましくは１５ｍｍ以上２５ｍｍ以下である。
中央高密度領域５５の横方向Ｙにおける幅Ｗ１は、コア後部２４Ｂの横方向Ｙにおける幅Ｗに対し、好ましくは５％以上、より好ましくは１０％以上であり、また好ましくは２５％以下、より好ましくは２０％以下であり、また好ましくは５％以上２５％以下、より好ましくは１０％以上２０％以下である。なお、コア後部２４Ｂの横方向Ｙにおける幅Ｗは、コア後部２４Ｂの縦方向Ｘにおける中央高密度領域５５を有する位置での幅とする。
【００４３】
中央高密度領域５５の縦方向Ｘにおける幅Ｌ１は、好ましくは３０ｍｍ以上、より好ましくは３５ｍｍ以上であり、また好ましくは６０ｍｍ以下、より好ましくは５０ｍｍ以下であり、また好ましくは３０ｍｍ以上６０ｍｍ以下、より好ましくは３５ｍｍ以上５０ｍｍ以下である。
中央高密度領域５５の縦方向Ｘにおける幅Ｌ１は、縦中心線ＣＬｘからコア後部２４Ｂの後端２４ｂまでの縦方向Ｘにおける幅Ｌに対し、好ましくは１５％以上、より好ましくは１８％以上であり、また好ましくは３５％以下、より好ましくは３０％以下であり、また好ましくは１５％以上３５％以下、より好ましくは１８％以上３０％以下である。
【００４４】
着用時におけるコア後部２４Ｂの中央部５０の歪の発生をより抑制する観点から、中央高密度領域５５の面積Ｓ１は、好ましくは３００ｍｍ２以上、より好ましくは５００ｍｍ２以上であり、また好ましくは１８００ｍｍ２以下、より好ましくは１３００ｍｍ２以下であり、また好ましくは３００ｍｍ２以上１８００ｍｍ２以下、より好ましくは５００ｍｍ２以上１３００ｍｍ２以下である。
同様の観点から、中央高密度領域５５の面積Ｓ１は、コア後部２４Ｂの面積ＳＡに対し、好ましくは１．５％以上、より好ましくは２．５％以上であり、また好ましくは１０％以下、より好ましくは７％以下であり、また好ましくは１．５％以上１０％以下、より好ましくは２．５％以上７％以下である。
【００４５】
コア後部２４Ｂにおける中央部５０の変形をより容易にし、中央部５０をより柔らかくする観点から、図７（ｂ）に示す中央高密度領域５５における凹部４Ａの寸法等は以下の範囲であることが好ましい。
凹部４Ａの横方向Ｙにおける幅Ｗ４Ａは、好ましくは２ｍｍ以上、より好ましくは３ｍｍ以上であり、また好ましくは１０ｍｍ以下、より好ましくは８ｍｍ以下であり、また好ましくは２ｍｍ以上１０ｍｍ以下、より好ましくは３ｍｍ以上８ｍｍ以下である。
中央高密度領域５５に位置する凹部４Ａの横方向Ｙにおける幅Ｗ４Ａは、中央高密度領域５５の横方向Ｙにおける幅Ｗ１に対し、好ましくは８％以上、より好ましくは１０％以上であり、また好ましくは４０％以下、より好ましくは３５％以下であり、また好ましくは８％以上４０％以下、より好ましくは１０％以上３５％以下である。なお、中央高密度領域５５の横方向Ｙにおける幅Ｗ１は、吸収性コア２４の縦方向Ｘにおける中央高密度領域５５の凹部４Ａを有する位置での幅とする。
【００４６】
中央高密度領域５５に位置する凹部４Ａの縦方向Ｘにおける長さＬ４Ａは、好ましくは２ｍｍ以上、より好ましくは３ｍｍ以上であり、また好ましくは１０ｍｍ以下、より好ましくは８ｍｍ以下であり、また好ましくは２ｍｍ以上１０ｍｍ以下、より好ましくは３ｍｍ以上８ｍｍ以下である。なお、図６（ｃ）において凹部４Ａは湾曲しており、横方向Ｙの外方に向かって縦方向Ｘの長さが短くなっている。このように、凹部４Ａの縦方向Ｘの長さＬ４Ａは一定でなくてもよい。また、矩形状の凹部４Ａのように、凹部４Ａの縦方向Ｘにおける幅が一定であってもよい。
中央高密度領域５５に位置する凹部４Ａの縦方向Ｘにおける長さＬ４Ａは、中央高密度領域５５の縦方向Ｘにおける幅Ｌ１に対し、好ましくは５％以上、より好ましくは８％以上であり、また好ましくは３０％以下、より好ましくは２５％以下であり、また好ましくは５％以上３０％以下、より好ましくは８％以上２５％以下である。
【００４７】
中央高密度領域５５に位置する各凹部４Ａの面積Ｓａは、好ましくは４ｍｍ２以上、より好ましくは８ｍｍ２以上であり、また好ましくは１００ｍｍ２以下、より好ましくは７０ｍｍ２以下であり、また好ましくは４ｍｍ２以上１００ｍｍ２以下、より好ましくは８ｍｍ２以上７０ｍｍ２以下である。
凹部４Ａの面積Ｓａは、中央高密度領域５５の面積Ｓ１に対し、好ましくは０．２％以上、より好ましくは０．４％以上であり、また好ましくは７％以下、より好ましくは４％以下であり、また好ましくは０．２％以上７％以下、より好ましくは０．４％以上４％以下である。
【００４８】
中央高密度領域５５に位置する凹部４Ａの数は、好ましくは６個以上、より好ましくは８個以上であり、また好ましくは３０個以下、より好ましくは２５個以下であり、また好ましくは６個以上３０個以下、より好ましくは８個以上２５個以下である。斯かる構成により、コア後部２４Ｂにおける中央部５０の臀部の形状に沿った変形をより容易にすることができる。
【００４９】
図６（ａ）〜図６（ｄ）に示す好ましい凹部の配置パターンの例において、図６（ａ）及び図６（ｄ）に示す配置パターンにおいては、中央高密度領域５５に、横方向Ｙに２個の凹部４Ａが並んだ列と３個の凹部４Ａが並んだ列が縦方向Ｘに交互に配されている。中央高密度領域５５は、横方向Ｙに並んだ複数の凹部４Ａの列を縦方向Ｘに複数有することが好ましい。横方向Ｙに並んだ複数の凹部４Ａの列を縦方向Ｘに複数有する場合、各列の凹部４Ａの個数は同じでもよく、それぞれ異なっていてもよい。
図６（ｂ）に示す配置パターンにおいては、中央高密度領域５５には、縦方向Ｘに３個並んだ凹部４Ａの列が３列配されている。図６（ｂ）に示すように、中央高密度領域５５は、縦方向Ｘに並んだ複数の凹部４Ａの列を横方向Ｙに複数有することが好ましい。縦方向Ｘに並んだ複数の凹部４Ａの列を横方向Ｙに複数有する場合、各列の凹部４Ａの数は同じでもよく、それぞれ異なっていてもよい。
また、図６（ｃ）に示すように、中央高密度領域５５は、横方向Ｙに延びた凹部４Ａが縦方向Ｘに複数並んだ列を少なくとも１列以上有していることが好ましい。
さらに、図６（ａ）、（ｃ）及び（ｄ）に示す配置パターンにおいては、中央高密度領域５５における個々の凹部４Ａは縦方向Ｘの位置が一致している。他方、図６（ｂ）に示すように、中央高密度領域５５における個々の凹部４Ａは縦方向Ｘの位置が異なっている。このように、中央高密度領域５５における個々の凹部４Ａは縦方向Ｘの位置が一致していてもよく、それぞれ異なっていてもよい。
【００５０】
着用時に中央部５０の変形をより容易にする観点から、中央高密度領域５５に位置する各凹部４Ａの合計面積Ｓ４Ａは、好ましくは１００ｍｍ２以上、より好ましくは１５０ｍｍ２以上であり、また好ましくは５００ｍｍ２以下、より好ましくは４００ｍｍ２以下であり、また好ましくは１００ｍｍ２以上５００ｍｍ２以下、より好ましくは１５０ｍｍ２以上４００ｍｍ２以下である。
同様の観点から、中央高密度領域５５の凹部４Ａの面積率、即ち中央高密度領域５５の面積Ｓ１に対する各凹部４Ａの合計面積Ｓ４Ａの割合は、好ましくは５％以上、より好ましくは８％以上であり、また好ましくは３０％以下、より好ましくは２５％以下であり、また好ましくは５％以上３０％以下、より好ましくは８％以上２５％以下である。
【００５１】
中央高密度領域５５における複数の凹部４Ａは、該凹部４Ａどうしが縦方向Ｘ及び横方向Ｙに間隔Ｌ１０をあけて配置されている。中央部５０における変形をより容易にする観点から、隣り合う凹部４Ａ間の間隔Ｌ１０は、好ましくは２ｍｍ以上、より好ましくは３ｍｍ以上であり、また好ましくは１０ｍｍ以下、より好ましくは８ｍｍ以下であり、また好ましくは２ｍｍ以上１０ｍｍ以下、より好ましくは３ｍｍ以上８ｍｍ以下である。なお、凹部４Ａどうしの間隔Ｌ１０は、隣り合う凹部４Ａ間の最短距離であり、それぞれ同じでも、異なっていてもよい。
【００５２】
コア後部２４Ｂの側部５１，５１における、臀部の盛り上がり部分へのフィット性をより向上させる観点から、図７（ａ）に示す側方低密度領域５６の寸法等は以下の範囲であることが好ましい。
側方低密度領域５６の横方向Ｙにおける幅Ｗ２は好ましくは１５ｍｍ以上、より好ましくは２０ｍｍ以上であり、また好ましくは５０ｍｍ以下、より好ましくは４０ｍｍ以下であり、また好ましくは１５ｍｍ以上５０ｍｍ以下、より好ましくは２０ｍｍ以上４０ｍｍ以下である。
側方低密度領域５６の横方向Ｙにおける幅Ｗ２は、コア後部２４Ｂの横方向Ｙにおける幅Ｗに対し、好ましくは１０％以上、より好ましくは１４％以上であり、また好ましくは３７％以下、より好ましくは３０％以下であり、また好ましくは１０％以上３７％以下、より好ましくは１４％以上３０％以下である。なお、コア後部２４Ｂの横方向Ｙにおける幅Ｗは、吸収性コア２４の縦方向Ｘにおける側方低密度領域５６を有する位置での幅とする。
【００５３】
側方低密度領域５６の縦方向Ｘにおける幅Ｌ２は、好ましくは２５ｍｍ以上、より好ましくは３０ｍｍ以上であり、また好ましくは５０ｍｍ以下、より好ましくは４５ｍｍ以下であり、また好ましくは２５ｍｍ以上５０ｍｍ以下、より好ましくは３０ｍｍ以上４５ｍｍ以下である。
側方低密度領域５６の縦方向Ｘにおける幅Ｌ２は、コア後部２４Ｂの縦方向における長さＬに対し、好ましくは１０％以上、より好ましくは１５％以上であり、また好ましくは３０％以下、より好ましくは２５％以下であり、また好ましくは１０％以上３０％以下、より好ましくは１５％以上２５％以下である。
【００５４】
着用時、コア後部２４Ｂの側部５１にヨレが発生する場合があり、側部５１のヨレの発生をより抑制する観点から、側方低密度領域５６の面積Ｓ２は、好ましくは６００ｍｍ２以上、より好ましくは１０００ｍｍ２以上であり、また好ましくは２２００ｍｍ２以下、より好ましくは１６００ｍｍ２以下であり、また好ましくは６００ｍｍ２以上２２００ｍｍ２以下、より好ましくは１０００ｍｍ２以上１６００ｍｍ２以下である。
同様の観点から、側方低密度領域５６の面積Ｓ２は、コア後部２４Ｂの面積ＳＡに対し、好ましくは３％以上、より好ましくは５％以上であり、また好ましくは１５％以下、より好ましくは１０％以下であり、また好ましくは３％以上１５％以下、より好ましくは５％以上１０％以下である。
【００５５】
コア後部２４Ｂの側部５１，５１が大きく変形することをより抑制する観点から、図７（ｂ）に示す側方低密度領域５６における凹部４Ｂの寸法等は以下の範囲であることが好ましい。
凹部４Ｂの横方向Ｙにおける幅Ｗ４Ｂは、好ましくは２ｍｍ以上、より好ましくは３ｍｍ以上であり、また好ましくは１０ｍｍ以下、より好ましくは８ｍｍ以下であり、また好ましくは２ｍｍ以上１０ｍｍ以下、より好ましくは３ｍｍ以上８ｍｍ以下である。
側方低密度領域５６に位置する凹部４Ｂの横方向Ｙにおける幅Ｗ４Ｂは、側方低密度領域５６の横方向Ｙにおける幅Ｗ２に対し、好ましくは５％以上、より好ましくは１０％以上であり、また好ましくは４０％以下、より好ましくは３５％以下であり、また好ましくは５％以上４０％以下、より好ましくは１０％以上３５％以下である。なお、側方低密度領域５６の横方向Ｙにおける幅Ｗ２は、吸収性コア２４の縦方向Ｘにおける側方低密度領域５６の凹部４Ｂを有する位置での幅とする。
【００５６】
側方低密度領域５６に位置する凹部４Ｂの縦方向Ｘにおける幅Ｌ４Ｂは、好ましくは２ｍｍ以上、より好ましくは３ｍｍ以上であり、また好ましくは１０ｍｍ以下、より好ましくは８ｍｍ以下であり、また好ましくは２ｍｍ以上１０ｍｍ以下、より好ましくは３ｍｍ以上８ｍｍ以下である。なお、中央高密度領域５５に位置する凹部４Ａと同様に、凹部４Ｂの縦方向Ｘの幅Ｌ４Ｂは一定でなくてもよいし、また一定であってもよい（図６（ｃ））。
側方低密度領域５６に位置する凹部４Ｂの縦方向Ｘにおける幅Ｌ４Ｂは、側方低密度領域５６の縦方向Ｘにおける幅Ｌ１に対し、好ましくは５％以上、より好ましくは１０％以上であり、また好ましくは４０％以下、より好ましくは３５％以下であり、また好ましくは５％以上４０％以下、より好ましくは１０％以上３０％以下である。
【００５７】
側方低密度領域５６に位置する凹部４Ｂの面積Ｓｂは、好ましくは５ｍｍ２以上、より好ましくは１０ｍｍ２以上であり、また好ましくは３００ｍｍ２以下、より好ましくは１５０ｍｍ２以下であり、また好ましくは５ｍｍ２以上３００ｍｍ２以下、より好ましくは１０ｍｍ２以上１５０ｍｍ２以下である。
凹部４Ｂの面積Ｓｂは、側方低密度領域５６の面積Ｓ２に対し、好ましくは０．２％以上、より好ましくは０．５％以上であり、また好ましくは１５％以下、より好ましくは１０％以下であり、また好ましくは０．２％以上１５％以下、より好ましくは０．５％以上１０％以下である。
【００５８】
コア後部２４Ｂの側部５１におけるヨレの発生をより抑制する観点から、側方低密度領域５６に位置する凹部４Ｂの数は、好ましくは４個以上、より好ましくは８個以上であり、また好ましくは２０個以下、より好ましくは１５個以下であり、また好ましくは４個以上２０個以下、より好ましくは８個以上１５個以下である。
【００５９】
図６（ａ）〜図６（ｄ）に示す凹部の配置パターンにおいては、側方低密度領域５６には、縦方向Ｘに２〜４個の凹部４Ｂが並んだ列が横方向Ｙに複数並んでいる。側方低密度領域５６は、縦方向Ｘに並んだ複数の凹部４Ｂの列を横方向Ｙに複数有することが好ましい。縦方向Ｘに並んだ複数の凹部４Ｂの列を横方向Ｙに複数有する場合、各列の凹部４Ｂの数は同じでもよく、それぞれ異なっていてもよい。
また、側方低密度領域５６は、横方向Ｙに並んだ複数の凹部４Ｂの列を縦方向Ｘに複数有していてもよく、各列の凹部４Ｂの個数は同じでもよく、それぞれ異なっていてもよい。
また、図６（ａ）、（ｃ）及び（ｄ）に示すように、側方低密度領域５６における個々の凹部４Ｂは縦方向Ｘの位置が一致している。一方、図６（ｂ）に示すように、側方低密度領域５６における個々の凹部４Ｂは縦方向Ｘの位置が異なっている。このように、側方低密度領域５６における個々の凹部４Ｂは縦方向Ｘの位置が一致していてもよく、それぞれ異なっていてもよい。
【００６０】
側方低密度領域５６に位置する各凹部４Ｂの合計面積Ｓ４Ｂは、好ましくは１５ｍｍ２以上、より好ましくは３０ｍｍ２以上であり、また好ましくは８００ｍｍ２以下、より好ましくは５００ｍｍ２以下であり、また好ましくは１５ｍｍ２以上８００ｍｍ２以下、より好ましくは３０ｍｍ２以上５００ｍｍ２以下である。
側方低密度領域５６の凹部４Ｂの面積率、即ち側方低密度領域５６の面積Ｓ２に対する各凹部４Ｂの合計面積Ｓ４Ｂの割合は、好ましくは０．５％以上、より好ましくは１％以上であり、また好ましくは４０％以下、より好ましくは２０％以下であり、また好ましくは０．５％以上４０％以下、より好ましくは１％以上２０％以下である。
【００６１】
側方低密度領域５６に位置する凹部４Ｂは、中央高密度領域５５に位置する各凹部４Ａと同様に、凹部４Ｂどうしが縦方向Ｘ及び横方向Ｙに間隔Ｌ１１をあけて配置されている。着用時、コア後部２４Ｂの側部５１におけるヨレの発生をより抑制する観点から、隣り合う凹部４Ｂ間の間隔Ｌ１１は、好ましくは２ｍｍ以上、より好ましくは３ｍｍ以上であり、また好ましくは２０ｍｍ以下、より好ましくは１５ｍｍ以下であり、また好ましくは２ｍｍ以上２０ｍｍ以下、より好ましくは３ｍｍ以上１５ｍｍ以下である。なお、凹部４Ｂどうしの間隔Ｌ１１は、隣り合う凹部４Ｂ間の最短距離である。各間隔Ｌ１１は同じであってもよく、それぞれ異なっていてもよい。
【００６２】
吸収性コアは、中央高密度領域５５より縦方向Ｘの後方に、複数の凹部を有し該中央高密度領域５５よりも凹部の面積率が低い後方低密度領域５７を有していることが好ましい。より具体的には、図６（ｄ）に示すように、後方低密度領域５７は、縦方向Ｘにおいて中央高密度領域５５の後方即ち吸収性コア２４の後端２４ｂ側に位置し、横方向Ｙにおいて中央高密度領域５５と重なる位置に配されている。なお、中央高密度領域５５及び側方低密度領域５６と同様に、後方低密度領域５７は、該領域の中心から最も外方に位置する凹部４、即ち各領域の縦方向Ｘ又は横方向Ｙにおいて最も外方に位置する各凹部４の外周部の一部及びこれらを結んだ線で囲まれた領域であり、最も外方に位置する各凹部４の外周部において、該外周部のうち縦方向Ｘ又は横方向Ｙにおいて最も外方に位置する外周部の一部どうしを結ぶ線で囲まれた領域を、後方低密度領域５７として、該領域の面積を求める。
後方低密度領域５７を配置することで、臀部の背側寄りの部分は緩やかな曲面を有するため、該部分へのフィット性をより向上させ得る。
【００６３】
上記の効果をより確実に奏させるため、後方低密度領域５７は、図６（ｄ）に示すように、横方向Ｙにおいて、中央高密度領域５５だけでなく、側方低密度領域５６とも重なって、側方低密度領域５６の後方にも位置していることが好ましい。
同様の観点から、図７（ａ）に示す後方低密度領域５７の位置や寸法等、及び図７（ｂ）に示す該領域に位置する凹部４Ｃの各寸法等は以下の範囲であることが好ましい。
【００６４】
後方低密度領域５７の前端Ｆ３と、縦中心線ＣＬｘとの縦方向Ｘにおける距離Ｐ７が、好ましくは９０ｍｍ以上、より好ましくは１００ｍｍ以上であり、また好ましくは１５０ｍｍ以下、より好ましくは１４０ｍｍ以下であり、また好ましくは９０ｍｍ以上１５０ｍｍ以下、より好ましくは１００ｍｍ以上１４０ｍｍ以下である。
後方低密度領域５７の後端Ｂ３と、コア後部２４Ｂの後端２４ｂとの縦方向Ｘにおける距離Ｐ８が、好ましくは３０ｍｍ以上、より好ましくは４０ｍｍ以上であり、また好ましくは９０ｍｍ以下、より好ましくは８０ｍｍ以下であり、また好ましくは３０ｍｍ以上９０ｍｍ以下、より好ましくは４０ｍｍ以上８０ｍｍ以下である。
【００６５】
後方低密度領域５７は、図７（ａ）に示すように、コア後部２４Ｂの一方の側端Ｔと、該側端Ｔ側に位置する後方低密度領域５７の側端Ｔ３との横方向Ｙにおける最短距離Ｐ９が、好ましくは５ｍｍ以上、より好ましくは８ｍｍ以上であり、また好ましくは２０ｍｍ以下、より好ましくは１５ｍｍ以下であり、また好ましくは５ｍｍ以上２０ｍｍ以下、より好ましくは８ｍｍ以上１５ｍｍ以下である。後方低密度領域５７は、横方向Ｙの両側のそれぞれの距離Ｐ９が、上記の範囲となるようコア後部２４Ｂに位置していることが好ましい。
後方低密度領域５７は、その一部が横方向Ｙにおいて中央高密度領域５５と重なる位置に存在していればよく、図６（ｄ）及び図７に示すように、好ましくは横方向Ｙにおいて中央高密度領域５５及び側方低密度領域５６と重なる位置に存在している。
【００６６】
後方低密度領域５７の横方向Ｙにおける幅Ｗ３は好ましくは２５ｍｍ以上、より好ましくは５０ｍｍ以上であり、また好ましくは１５０ｍｍ以下、より好ましくは１４５ｍｍ以下であり、また好ましくは２５ｍｍ以上１５０ｍｍ以下、より好ましくは５０ｍｍ以上１４５ｍｍ以下である。
後方低密度領域５７の横方向Ｙにおける幅Ｗ３は、コア後部２４Ｂの横方向Ｙにおける幅Ｗに対し、好ましくは１５％以上、より好ましくは３０％以上であり、また好ましくは９５％以下、より好ましくは９０％以下であり、また好ましくは１５％以上９５％以下、より好ましくは３０％以上９０％以下である。なお、コア後部２４Ｂの横方向Ｙにおける幅Ｗは、コア後部２４Ｂの縦方向Ｘにおける中央高密度領域５５を有する位置での幅とする。
【００６７】
後方低密度領域５７の縦方向Ｘにおける幅Ｌ３は、好ましくは２ｍｍ以上、より好ましくは３ｍｍ以上であり、また好ましくは３０ｍｍ以下、より好ましくは２５ｍｍ以下であり、また好ましくは２ｍｍ以上３０ｍｍ以下、より好ましくは３ｍｍ以上２５ｍｍ以下である。
後方低密度領域５７の縦方向Ｘにおける幅Ｌ３は、コア後部２４Ｂの縦方向における長さ、即ち横中心線ＣＬｙから吸収性コア２４の後端までの幅Ｌに対し、好ましくは１％以上、より好ましくは１．５％以上であり、また好ましくは２０％以下、より好ましくは１５％以下であり、また好ましくは１％以上２０％以下、より好ましくは１．５％以上１５％以下である。
【００６８】
後方低密度領域５７の面積Ｓ３は、好ましくは５０ｍｍ２以上、より好ましくは１５０ｍｍ２以上であり、また好ましくは４５００ｍｍ２以下、より好ましくは４０００ｍｍ２以下であり、また好ましくは５０ｍｍ２以上４５００ｍｍ２以下、より好ましくは１５０ｍｍ２以上４０００ｍｍ２以下である。
後方低密度領域５７の面積Ｓ３は、コア後部２４Ｂの面積ＳＡに対し、好ましくは０．２％以上、より好ましくは０．７％以上であり、また好ましくは２５％以下、より好ましくは２０％以下であり、また好ましくは０．２％以上２５％以下、より好ましくは０．７％以上２０％以下である。
【００６９】
後方低密度領域５７における凹部４Ｃの横方向Ｙの幅Ｗ４Ｃは、好ましくは２ｍｍ以上、より好ましくは３ｍｍ以上であり、また好ましくは１０ｍｍ以下、より好ましくは８ｍｍ以下であり、また好ましくは２ｍｍ以上１０ｍｍ以下、より好ましくは３ｍｍ以上８ｍｍ以下である。
後方低密度領域５７に位置する凹部４Ｃの横方向Ｙにおける幅Ｗ４Ｃは、後方低密度領域５７の横方向Ｙにおける幅Ｗ３に対し、好ましくは２％以上、より好ましくは３％以上であり、また好ましくは１５％以下、より好ましくは１０％以下であり、また好ましくは２％以上１５％以下、より好ましくは３％以上１０％以下である。なお後方低密度領域５７の横方向Ｙにおける幅Ｗ３は、吸収性コア２４の縦方向Ｘにおける後方低密度領域５７の凹部４Ｃを有する位置での幅とする。
【００７０】
後方低密度領域５７に位置する凹部４Ｃの縦方向Ｘにおける長さＬ４Ｃは、好ましくは２ｍｍ以上、より好ましくは３ｍｍ以上であり、また好ましくは１０ｍｍ以下、より好ましくは８ｍｍ以下であり、また好ましくは２ｍｍ以上１０ｍｍ以下、より好ましくは３ｍｍ以上８ｍｍ以下である。なお、凹部４Ｃの縦方向Ｘの長さＬ４Ｃは、上記の凹部４Ａ及び４Ｂと同様に、一定であっても、一定でなくてもよい。
後方低密度領域５７に位置する凹部４Ｃの縦方向Ｘにおける長さＬ４Ｃは、後方低密度領域５７の縦方向Ｘにおける幅Ｌ３に対し、好ましくは５％以上、より好ましくは１０％以上であり、また好ましくは４０％以下、より好ましくは３０％以下であり、また好ましくは５％以上４０％以下、より好ましくは１０％以上３０％以下である。
【００７１】
後方低密度領域５７に位置する各凹部４Ｃの面積Ｓｃは、好ましくは４ｍｍ２以上、より好ましくは９ｍｍ２以上であり、また好ましくは１００ｍｍ２以下、より好ましくは６５ｍｍ２以下であり、また好ましくは４ｍｍ２以上１００ｍｍ２以下、より好ましくは９ｍｍ２以上６５ｍｍ２以下である。
凹部４Ｃの面積Ｓｃは、後方低密度領域５７の面積Ｓ３に対し、好ましくは０．１％以上、より好ましくは０．３％以上であり、また好ましくは５％以下、より好ましくは２．５％以下であり、また好ましくは０．１％以上５％以下、より好ましくは０．３％以上２．５％以下である。
【００７２】
後方低密度領域５７に位置する凹部４Ｃの数は、好ましくは３個以上、より好ましくは５個以上であり、また好ましくは２０個以下、より好ましくは１５個以下であり、また好ましくは３個以上２０個以下、より好ましくは５個以上１５個以下である。
【００７３】
後方低密度領域５７において、複数の凹部４Ｃは、縦方向Ｘ及び／又は横方向Ｙに並んだ列を成して位置していることが好ましい。本実施形態において、図６（ｄ）に示すように、後方低密度領域５７には、横方向Ｙに７個の凹部４Ｃが１列に並んでいる。このように、後方低密度領域５７には、横方向Ｙに複数の凹部４Ｃが並んだ列が少なくとも１列あることが好ましい。
【００７４】
後方低密度領域５７に位置する各凹部４Ｃの合計面積Ｓ４Ｃは、好ましくは１０ｍｍ２以上、より好ましくは４０ｍｍ２以上であり、また好ましくは２０００ｍｍ２以下、より好ましくは１０００ｍｍ２以下であり、また好ましくは１０ｍｍ２以上２０００ｍｍ２以下、より好ましくは４０ｍｍ２以上１０００ｍｍ２以下である。
後方低密度領域５７における凹部４Ｃの面積率、即ち後方低密度領域５７の面積Ｓ３に対する各凹部４Ｃの合計面積Ｓ４Ｃの割合は、好ましくは０．３％以上、より好ましくは１％以上であり、また好ましくは８０％以下、より好ましくは４０％以下であり、また好ましくは０．３％以上８０％以下、より好ましくは１％以上４０％以下である。
【００７５】
後方低密度領域５７に位置する各凹部４Ｃは、凹部４Ｃどうしが横方向Ｙに間隔Ｌ１２をあけて配置されている。隣り合う凹部４Ｃ間の間隔Ｌ１２は、好ましくは２ｍｍ以上、より好ましくは３ｍｍ以上であり、また好ましくは２０ｍｍ以下、より好ましくは１５ｍｍ以下であり、また好ましくは２ｍｍ以上２０ｍｍ以下、より好ましくは３ｍｍ以上１５ｍｍ以下である。本実施形態では、凹部４Ｃどうしが横方向Ｙに間隔Ｌ１２をあけて配されているが、縦方向Ｘ及び横方向Ｙに間隔Ｌ１２をあけて配されていても良い。なお、凹部４Ｃどうしの間隔Ｌ１２は、隣り合う凹部４Ｃ間の最短距離である。各間隔Ｌ１２は同じであってもよく、それぞれ異なっていてもよい。
【００７６】
後方低密度領域５７の凹部の面積率は、中央高密度領域５５の凹部の面積率に対して、好ましくは１５％以上、より好ましくは３０％以上であり、また好ましくは７５％以下、より好ましくは７０％以下であり、また好ましくは１５％以上７５％以下、より好ましくは３０％以上７５％以下である。
【００７７】
コア後部２４Ｂの変形をより容易にし、コア後部２４Ｂをより柔らかくさせる観点から、上記の中央高密度領域５５、側方低密度領域５６及び後方低密度領域５７における各凹部４Ａ，４Ｂ，４Ｃは、図８（ｃ）に示すように吸収性コア２４を貫通する貫通部であるか、又は他の部分に比して低坪量に形成されていることが好ましい。
各凹部４Ａ，４Ｂ，４Ｃが他の部分に比して低坪量に形成されている場合、各凹部４Ａ，４Ｂ，４Ｃは、図８（ａ）又は（ｂ）に示すように吸収性コア２４の肌対向面側及び非肌対向面側のいずれか一方に開口した底部を有するが、該開口部分が吸収性コア２４の形成材料からなる層で塞がれていてもよい。
【００７８】
各凹部４Ａ，４Ｂ，４Ｃが他の部分に比して低坪量である場合、各凹部４Ａ，４Ｂ，４Ｃの厚み方向における深さは、吸収性コア２４の厚みに対し、好ましくは５０％以上、より好ましくは７０％以上であり、また好ましくは１００％以下、より好ましくは９８％以下であり、また好ましくは５０％以上１００％以下、より好ましくは７０％以上９８％以下であるなお、他の部分は、中央高密度領域５５、側方低密度領域５６及び後方低密度領域５７における各凹部４Ａ，４Ｂ，４Ｃ以外の部分である。
【００７９】
上記の効果をより確実に奏させるため、凹部４Ａ，４Ｂ，４Ｃの各坪量は、他の部分の坪量に対して、好ましくは７０％以下、より好ましくは５０％以下である。
凹部４Ａ，４Ｂ，４Ｃの坪量は、好ましくは０ｇ／ｍ２以上、より好ましくは１０ｇ／ｍ２以上であり、また好ましくは４２０ｇ／ｍ２以下、より好ましくは３００ｇ／ｍ２以下であり、また好ましくは０ｇ／ｍ２以上４２０ｇ／ｍ２以下、より好ましくは１０ｇ／ｍ２以上３００ｇ／ｍ２以下である。
他の部分即ち凹部非形成部分の坪量は、好ましくは８０ｇ／ｍ２以上、より好ましくは９０ｇ／ｍ２以上であり、また好ましくは６００ｇ／ｍ２以下、より好ましくは５００ｇ／ｍ２以下であり、また好ましくは８０ｇ／ｍ２以上６００ｇ／ｍ２以下、より好ましくは９０ｇ／ｍ２以上５００ｇ／ｍ２以下である。
【００８０】
上記の中央高密度領域５５、側方低密度領域５６及び後方低密度領域５７における各凹部４Ａ，４Ｂ，４Ｃの形状は特に制限されず、円形状の如き、平面視で方向性のない形状でも良く、矩形形状の如き、平面視で方向性のある形状でも良い。また、図６（ｃ）に示すように、縦方向Ｘの後端側に向かって凸状の形状であっても良い。さらに、臀部へのフィット性をより向上させる観点から、環形以外の形状であることが好ましい。
【００８１】
吸収性コア２４は、着用時、臀部に当接する部分において肌対向面側に隆起する形状であることが好ましい。より具体的には、図９に示すように、吸収性コア２４において、後方第１領域２４３、場合によってはこれに加えてさらに中央幅狭部２４０における後方第１領域２４３寄りの部分が、横中心線ＣＬｙを折曲線として非肌対向面を内側にして山折りに変形、即ち横方向Ｙに沿う断面視において逆Ｖ字状に変形して隆起部２４５が形成され、その隆起部２４５が着用者の臀裂にフィットすると共に、後方第２領域２４４が、着用者の臀部の曲面形状に沿うように、着用者の肌側に向けて凹の凹状に変形して臀部に密着する。斯かる構成により、吸収性物品が着用者の股下の形状に沿って密着しやすくなり、フィット性をより向上させることができる。
吸収性コア２４がこのように変形することによって、コア後部２４Ｂの中央部５０及び側部５１，５１にヨレや歪が発生し、該ヨレや歪が吸収性コア２４を臀部の形状に合わせて変形させることを阻害し得る。しかし、上述した通り、本発明の吸収性物品即ちおむつ１は、中央高密度領域５５及び側方低密度領域５６の存在によって、ヨレや歪の発生を抑制すると共に、吸収性コア２４の臀部の形状に合わせた変形が可能となる。従っておむつ１は、臀部の外形形状に適合するように変形して着用者の肌に密着し得るため、臀部に対するフィット性に優れている。
【００８２】
本発明の吸収性物品は、上記実施形態におけるパンツ型使い捨ておむつ（パンツ型着用物品）に限らず、展開型使い捨ておむつや尿取りパッドであってもよい。また、成人用に限らず、幼児用等であっても良い。
【符号の説明】
【００８３】
１  パンツ型使い捨ておむつ（吸収性物品）
２  吸収性本体
２１  表面シート
２２  裏面シート
２３  吸収体
２４  吸収性コア
２４Ａ  コア前部
２４Ｂ  コア後部
２４０  中央幅狭部
２４１  コア前方部
２４２  コア後方部
２４３  後方第１領域
２４４  後方第２領域
２４５  隆起部
２５  コアラップシート
３  外装体
３１  外層シート
３２  内層シート
４  凹部
４Ａ  中央高密度領域に位置する凹部
４Ｂ  側方低密度領域に位置する凹部
４Ｃ  後方低密度領域に位置する凹部
５０  中央部
５１  側部
５５  中央高密度領域
５６  側方低密度領域
５７  後方低密度領域
Ａ  腹側部
Ｂ  股下部
Ｃ  背側部
ＣＬｘ  縦中心線
ＣＬｙ  横中心線
Ｓ  サイドシール部
Ｘ  縦方向
Ｙ  横方向
【図１】
2018102715.tif 000003
【図２】
2018102715.tif 000004
【図３】
2018102715.tif 000005
【図４】
2018102715.tif 000006
【図５】
2018102715.tif 000007
【図６】
2018102715.tif 000008
【図７】
2018102715.tif 000009
【図８】
2018102715.tif 000010
【図９】
2018102715.tif 000011